(57)【特許請求の範囲】
【請求項１】
所要の重量物を載置して搬送せしめる重量物用搬送装置であって、径の異なる所要の円
周上に各々嵌合孔が所定ピッチでもって形成されると共に、外周縁に円弧状の切欠き部が
形成されてなる略円形状基板と、該各嵌合孔に遊嵌された球状の転動体と、該各転動体を
保持孔でもって転動自在に保持せしめるべく基板の上下面に一体に接合されると共に、基
板の切欠き部に対応すべく円弧状の切欠き部が外周縁に形成されてなる略円形状の上下部
保持板とよりなり、上記基板の外周面には基板の外径を上下部保持板の外径より大にして
環状の嵌合凸部が区画形成されると共に、該嵌合凸部に連接せしめるべく基板の切欠き部
円弧面には切欠き部の円弧径を上下部保持板の切欠き部円弧径より大にして嵌合凹部が区
画形成されてなることを特徴とする、重量物用搬送装置。                   
【請求項２】
把持して可搬せしめるべく基板と上下部保持板とには所要径の把持孔が連通状に形成さ
れてなることを特徴とする、請求項１記載の重量物用搬送装置。
【請求項３】
重量物の搬送路上に請求項１または２記載の重量物用搬送装置を少くとも２列状に配設
せしめ、各列状の前後に相隣る搬送装置どうしを嵌合凹凸部でもって嵌合状に接続せしめ
ると共に、接続する搬送装置列上に重量物を載置したのち、後方より重量物を前方に押圧
して各球状転動体を転動作動せしめつつ搬送せしめることを特徴とする、重量物の搬送方
法。
【請求項４】
搬送装置上に載置用スライド板を介して重量物が載置せしめられてなることを特徴とす
る、請求項３記載の重量物の搬送方法。
【発明の詳細な説明】
【技術分野】
【０００１】
本発明は、特にＭＲＩ装置やＣＴ装置などの重量物を屋内の据付け現場に搬入せしめる
さいに用いられる、重量物用搬送装置、及びそれを用いた重量物の搬送方法に関する。
【背景技術】
【０００２】
従来より、ＭＲＩ装置やＣＴ装置などの重量物を屋内の据付け現場に搬入せしめる搬送
装置としては、金属製の重量物載置用スライド板と、該スライド板の下に配設自在とされ
た所要数の比較的径の大なパイプや鉄棒よりなるコロとより構成されたものが知られてい
る（特許文献１参照）。
そして、上述の如く構成された従来例の重量物用搬送装置は、所要数のコロを重量物の
搬送路上に並列状に配設せしめ、その上にスライド板を介してＭＲＩ装置などの重量物を
載置せしめたのち、重量物を搬送方向に押圧せしめつつコロを転動せしめて搬送せしめる
ものである。
このさい、コロの移動距離は重量物の移動距離より短いため、必然的に重量物の移動に
伴って順次後列側のコロを前側に置き換える操作を繰り返し行いつつ、据付け現場に搬送
せしめる必要があるものである。   
【０００３】
ところで、上記の重量物用搬送装置は、上述の如く所要数のコロを搬送路上に並列状に
配設せしめ、重量物の移動に従ってそれらを一本一本置き換えるという非常に面倒な操作
をしなければならず、また、搬送路面の状況によってコロの間隔が変動し、確実なる搬送
がしずらいものである。
また、搬送時には比較的径の大なパイプや鉄棒よりなるコロの上に重量物載置用スライ
ド板を介して重量物を載置せしめるものであるから、全体として非常に嵩高となりやすく
、ひいては、重量物と屋内における搬入口の梁や廂など上部構造物との間の間隙が小さい
場合には、重量物を屋内の据付け現場に搬入することが出来ないという不都合を生起せし
めやすいものである。
【０００４】
また、他の重量物用搬送装置としては、略方形体状のフレ−ム内にロ−ラが転動自在に
内設されると共に、該フレ−ム上にタ−ンテ−ブルが水平配設されたチルロ−ラが知られ
ている（非特許文献１参照）。
そして、上述の如く構成された重量物用搬送装置としてのチルロ−ラは、所要数のチル
ロ−ラを搬送路上に配設せしめ、タ−ンテ−ブルを介してＭＲＩ装置など重量物の据付け
用脚部を載置せしめたのち、載置する重量物を搬送方向に押圧せしめつつロ−ラを転動せ
しめて搬送せしめるものである。
【０００５】
ところで、上述の如く構成されたチルロ−ラは、チルロ−ラ上にタ−ンテ−ブルを介し
て所要の重量物を載置してロ−ラを転動せしめつつ搬送せしめるものであるから、その搬
送操作を容易に行うことが出来る反面、フレ−ム内にロ−ラを転動自在に内設せしめると
共に、該フレ−ム上にタ−ンテ−ブルを水平配設せしめるものであるから、必然的にその
車高が高くなるものである。このため、重量物を載置して搬送せしめるさいには、全体と
して非常に嵩高となりやすく、ひいては、重量物と屋内における搬入口の梁や廂など上部
構造物との間の間隙が小さい場合には、重量物を屋内の据付け現場に搬入することが出来
ないという不都合を生起せしめやすいものである。
【０００６】
さらに、上記従来例の課題を解決するものとして、広幅状とされた一対の方形状保持板
がスペ−サ−により所定間隔をもって上下に対向状に配設されると共に、該上下の保持板
には縦横に所要径の保持孔が対向状に形成され、上下に対向する各保持孔間には球状転動
体が上下に一部外方突出状に転動保持せしめられてなる、重量物用搬送装置が開示されて
いる（特許文献２参照）。
そして、上述の如く構成された重量物用搬送装置は、予め搬送路上に薄い鉄板を敷設し
て仮設搬送路を構築せしめたのち、仮設搬送路に所要数の搬送装置を配設せしめ、該搬送
装置上にＭＲＩ装置などの重量物を載置すると共に、重量物を搬送方向に押圧せしめつつ
球状転動体を転動せしめて搬送せしめるものである。このさい、球状転動体を転動せしめ
つつ移動する搬送装置の移動距離は、重量物の移動距離より短いため、必然的に重量物の
移動に伴って順次後側の搬送装置を前側に置き換える操作を繰り返しつつ行い、据付け現
場に搬入せしめるものとされている。
【先行技術文献】
【特許文献】
【０００７】
【特許文献１】特開平１１−２７８６１８号公報（段落番号０００２、０００３）
【特許文献２】特開平１１−１３０２１９号公報
【非特許文献】
【０００８】
【非特許文献１】“チルロ−ラ＜旋回自在の運搬コロ”、〔２０１０年１２月９日検索〕、インタ−ネット＜ＵＲＬ：ｈｔｔｐ：／／ｗｗｗ．ｍｉｌｃｏｎ．ｃｏ．ｊｐ／ｐｒｏｄｕｃｔ／ｃｏｎｓｔｒｕｃｔｉｏｎ／ｔｉｌｌｒｏｌｌｅｒ／ｉｎｄｅｘ．ｈｔｍｌ＞
【発明の概要】
【発明が解決しようとする課題】
【０００９】
ところで、上記特許文献２記載の重量物用搬送装置は、上下一対の保持板間に保持せし
めた多数の球状転動体を転動せしめつつ搬送せしめるものであるから、ＭＲＩ装置などの
重量物の搬送時における荷重を多数の球状転動体でもって点支持的に支持せしめることが
出来るものであって、常に重量物を安全、かつ確実に支持せしめつつ搬送せしめることが
出来るのみならず、上下一対の保持板間に多数の球状転動体を転動自在に保持せしめるも
のであるから、特許文献１や非特許文献１に記載の重量物用搬送装置に比して車高を低く
設定せしめることが出来るものである。このため、搬送装置上に重量物を載置せしめたさ
いにおいても、全体として嵩高とならず、ひいては、重量物と屋内における搬入口の梁や
廂など上部構造物との間の間隙が小さい場合においても重量物を屋内の据付け現場に搬入
せしめることが出来るものである。
【００１０】
しかしながら、上記特許文献２記載の重量物用搬送装置は、所定間隔をおいて上下に配
設された上下一対の保持板に保持孔を介して球状転動体を転動自在に保持せしめるもので
あるから強度的に問題があり、特に重量物の搬送時には球状転動体の転動作動により生起
する衝撃が上下保持板の保持孔縁に各々直接的に作用して損傷せしめやすいものである。
また、上下一対の保持板は単に広幅な方形体状に形成されているにすぎないものであるか
ら、前後に相隣る搬送装置を適正位置に接続せしめることが出来ないものである。このた
め、重量物の搬送時における前後側搬送装置の置き換え作業時には、前後に相隣る搬送装
置の確実なる接続位置決めが困難となりやすく、場合によっては搬送装置が重量物より外
れやすく、確実なる重量物の搬送が阻害されやすいものである。
【００１１】
本発明は、従来の課題を解決しようとするもので、ＭＲＩ装置など所要の重量物を載置
せしめたさいにおいても嵩高となることなく、重量物と屋内における搬入口の梁や廂など
上部構造物との間の間隙が小さい場合においても重量物を屋内の据付け現場に搬入せしめ
ることが出来るのみならず、重量物の搬送時における前後側搬送装置の置き換え時におい
ても、前後に相隣る搬送装置を適正位置に確実に接続せしめ、常に重量物を確実に搬送せ
しめることができ、しかも、非常に丈夫な重量物用搬送装置、及びそれを用いた重量物の
搬送方法を提供するものである。
【課題を解決するための手段】
【００１２】
上記の目的を達成するため、本発明の請求項１記載の発明は、所要の重量物を載置して
搬送せしめる重量物用搬送装置であって、径の異なる所要の円周上に各々嵌合孔が所定ピ
ッチでもって形成されると共に、外周縁に円弧状の切欠き部が形成されてなる略円形状基
板と、該各嵌合孔に遊嵌された球状の転動体と、該各転動体を保持孔でもって転動自在に
保持せしめるべく基板の上下面に一体に接合されると共に、基板の切欠き部に対応すべく
円弧状の切欠き部が外周縁に形成されてなる略円形状の上下部保持板とよりなり、上記基
板の外周面には基板の外径を上下部保持板の外径より大にして環状の嵌合凸部が区画形成
されると共に、該嵌合凸部に連接せしめるべく基板の切欠き部円弧面には切欠き部の円弧
径を上下部保持板の切欠き部円弧径より大にして嵌合凹部が区画形成されてなることを特
徴とする、重量物用搬送装置を要旨とするものである。
【００１３】
本発明の請求項２記載の発明は、把持して可搬せしめるべく基板と上下部保持板とには所
要径の把持孔が連通状に形成されてなることを特徴とする、請求項１記載の重量物用搬送
装置を要旨とするものである。
【００１４】
本発明の請求項３記載の発明は、重量物の搬送路上に請求項１または２記載の重量物用搬
送装置を少くとも２列状に配設せしめ、各列状の前後に相隣る搬送装置どうしを嵌合凹凸
部でもって嵌合状に接続せしめると共に、接続する搬送装置列上に重量物を載置したのち
、後方より重量物を前方に押圧して各球状転動体を転動作動せしめつつ搬送せしめること
を特徴とする、重量物の搬送方法を要旨とするものである。
【００１５】
本発明の請求項４記載の発明は、搬送装置上に載置用スライド板を介して重量物が載置せ
しめられてなることを特徴とする、請求項３記載の重量物の搬送方法を要旨とするもので
ある。
【発明の効果】
【００１６】
本発明の請求項１記載の発明によれば以上の次第で、基板の各嵌合孔に球状転動体が遊
嵌されると共に、該球状転動体を転動保持せしめるべく基板の上下面に保持孔付き上下部
保持板が一体に接合されているから、全体としてその車高が低いものとなり、重量物を載
置せしめたさいにおいても、嵩高となることがなく、重量物と屋内の搬入口の上部構造物
との間の間隙が小さい場合においても重量物を屋内の据付け現場に搬入せしめることが出
来るのみならず、基板と上下部保持板が一体に接合されているから、重量物の搬送時にお
いても、球状転動体の転動作動によって生起する衝撃を基板の嵌合孔縁と保持板の保持孔
縁により一体的に確実に受け止めることが出来て損傷のおそれが殆んどないものである。
また、基板の外周面には嵌合凸部が形成されると共に、該嵌合凸部に連接すべく切欠き
部の円弧面に嵌合凹部が区画形成されているから、重量物の搬送時における前後側搬送装
置の置き換え時においても、嵌合凸部と嵌合凹部とを嵌合せしめつつ前後に相隣る搬送装
置を適正位置に確実に接続せしめることが出来るものであって、ひいては、搬送装置が重
量物より外れるおそれがなく、常に重量物を確実に搬送せしめることが出来るものである
。
【００１７】
本発明の請求項２記載の発明によれば以上の次第で、基板と上下部保持板とには所要径
の把持孔が連通状に形成されているから、重量物の搬送時における前後側搬送位置の置き
換え作業時においても、把持孔を通して把持せしめつつ可搬せしめることが出来るもので
あって、常に置き換え作業を容易に能率よく行うことが出来るものである。
【００１８】
本発明の請求項３記載の発明によれば以上の次第で、搬送装置上に重量物を載置せしめ
つつ、順次前後に相隣る搬送装置どうしを嵌合凹凸部でもって嵌合状に接続せしめ、常に
搬送装置を搬送路上の適正位置に位置せしめることが出来るものであって、ひいては、搬
送装置が重量物より外れるおそれがなく、常に重量物を確実に搬送せしめることが出来る
ものである。
【００１９】
本発明の請求項４記載の発明によれば以上の次第で、搬送装置上に載置用スライド板を
介して重量物が載置されるものとされているから、常に重量物を載置支持せしめつつスム
−ズに搬送せしめることが出来るものである。
【図面の簡単な説明】
【００２０】
【図１】本発明の一実施例を示す平面図である。
【図２】図１のＡ−Ａ線に沿う切断部端面図である。
【図３】図１のＢ−Ｂ線に沿う切断部端面図である。
【図４】本発明の使用状態を示す平面図である。
【図５】本発明の使用時に前後に相隣る搬送装置１を嵌合凹凸部９・１０でもって嵌合接合せしめた状態を示す一部拡大断面図である。
【図６】本発明の使用状態を示す側面図である。
【図７】本発明の使用状態を示す正面図である。
【図８】本発明の使用時に嵌合凹凸部９・１０を介して屈曲状に嵌合接続せしめた状態を示す一部拡大平面図である。
【発明を実施するための形態】
【００２１】
以下に、本発明を実施するための形態を図面に示す一実施例に基づいて詳細に説明する
。
【００２２】
図１〜図３は本発明の一実施例である重量物用搬送装置１を示すもので、２は該搬送装
置１を構成する円形状とされた肉厚な金属製基板、１７は該基板２の外周縁に形成された
円弧状の切欠き部、３は後記する球状転動体４を遊嵌せしめるべく該基板２に形成された
所要数の嵌合孔で、該嵌合孔３は径の異なる所要の円周上に各々所定ピッチでもって列状
に形成されている。４は上記基板２の各嵌合孔３に転動自在に遊嵌された金属製球状転動
体、５・６は該各球状転動体４を各々上下に一部外方突出せしめて転動保持せしめるべく
基板２の上下面にリベット８を介して一体接合された保持孔７付き上下部保持板、１８は
基板２の切欠き部１７に対応すべく該上下部保持板５・６の外周縁に形成された円弧状の
切欠き部である。９は基板２の外径を上下部保持板５・６の外径より大にして基板２の外
周面に区画形成された環状の嵌合凸部、１０は該嵌合凸部９に連接せしめるべく基板２の
切欠き部１７円弧面に形成された嵌合凹部で、該嵌合凹部１０は基板２の切欠き部１７円
弧径を上下部保持板５・６の切欠き部１８円弧径より大にして区画形成されている。１１
は把持して可搬せしめるべく基板２と上下部保持板５・６に連通状に形成された把持孔で
ある。
その他、１２は据付け脚部１３を備えたＭＲＩ装置、１４は搬送装置１上に載置自在と
された方形体状の載置用スライド板、１５は屋内の床、１６は該床１５上に薄い鉄板を敷
設して構築された仮設搬送路である。
【００２３】
次に、上述の如く構成された重量物用搬送装置１の使用状態を図４〜図８に基づいて説
明する。
先ず、ＭＲＩ装置１１の据付け脚部１３に対応すべく屋内の仮設搬送路１６上に所要数
の搬送装置１を２列に配設せしめ、前後に相隣る搬送装置１を嵌合凹凸部９・１０でもっ
て嵌合接続せしめると共に、接続する搬送装置１上に載置用スライド板１４を介してＭＲ
Ｉ装置１２の据付け脚部１３を載置せしめる（図４〜図７参照）。しかるのち、載置する
ＭＲＩ装置１２を図４に矢印で示す搬送方向に押圧せしめつつ、球状転動体４を転動作動
せしめて搬送する。このさい、球状転動体４を転動せしめつつ移動する搬送装置１の移動
距離は、ＭＲＩ装置１２の移動距離より短いため、必然的にＭＲＩ装置１２の移動に伴っ
て順次後側の搬送装置１を前側に置き換える操作を繰り返し行い、ＭＲＩ装置１２を所定
方向に搬送せしめて据付け現場に搬入せしめる。    
【００２４】
なお、かかる置き換え操作時においては、各搬送装置１には把持孔１１が形成されてい
るから、かかる把持孔１１を通して把持せしめつつ可搬せしめて置き換え操作を容易に能
率よく行うことが出来るものである。また、基板２に上下部保持板５・６を一体に接合せ
しめつつ球状転動体４を転動自在に保持せしめるものとされているから、ＭＲＩ装置１２
を載置せしめても全体として嵩高となることがなく、ひいては、ＭＲＩ装置１２と屋内の
搬入口の上部構造物との間の間隙が小さい場合においても、ＭＲＩ装置１２を屋内の据付
け現場に搬入せしめることが出来るのみならず、基板２と上下部保持板５・６が一体に接
合されているから、ＭＲＩ装置１２の搬送時における球状転動体４の転動作動時に生起す
る衝撃を嵌合孔３と保持孔７の孔縁でもって一体的に確実に受け止めることが出来るため
、損傷のおそれは殆んどないものである。また、搬送装置１を構成する基板２の外周面に
は嵌合凸部９が形成されると共に、該嵌合凸部９に連接すべく切欠き部１７・１８の円弧
面に嵌合凹部１０が形成されているから、前後側搬送装置１の置き換え作業時においても
、嵌合凸部９と嵌合凹部１０とを嵌合せしめつつ前後に相隣る搬送装置１を適正位置に確
実に接続せしめることが出来るものであって、ひいては、搬送装置１がＭＲＩ装置１２よ
り外れるおそれがなく、常にＭＲＩ装置１２を確実に搬送せしめることが出来るものであ
る。
【００２５】
また、仮設搬送路１６が屈曲している場合には、図８に示すように、屈曲状況に応じて
前後に相隣る搬送装置１を嵌合凹凸部９・１０でもって嵌合せしめつつ適正位置に確実に
接続せしめることが出来るものである。
【００２６】
なお、上記実施例において、搬送装置１を構成する基板２は円形状とされているが、楕
円形状など他の公知の形状に形成せしめることができ、また、基板２と上下部保持板５・
６はリベット８でもって一体に接合されているが、溶接など他の接合手段により一体に接
合せしめてもよく、さらに、把持孔１１も基板２と上下部保持板５・６の中心に形成され
ているが、これに限定されるものではなく、外周縁に形成せしめてもよいものである。ま
た、使用例としてＭＲＩ装置１２を示したが、これに限定されるものでなく、ＣＴ装置、
あるいは大型冷凍機など公知の重量物を据付け現場に搬入せしめるさいにも好適に適用せ
しめることが出来るものである。
【符号の説明】
【００２７】
１  重量物用搬送装置
２  基板
３  嵌合孔
４  転動体
５  上部保持板
６  下部保持板
７  保持孔
９  嵌合凸部
１０  嵌合凹部
１１  把持孔
１２  ＭＲＩ装置
１４  載置用スライド板
１６  仮設搬送路
１７ 切欠き部
１８ 切欠き部
【図１】
0005756647.tif 000002
【図２】
0005756647.tif 000003
【図３】
0005756647.tif 000004
【図４】
0005756647.tif 000005
【図５】
0005756647.tif 000006
【図６】
0005756647.tif 000007
【図７】
0005756647.tif 000008
【図８】
0005756647.tif 000009